(57)【要約】【課題】構造躯体の冷橋をなくす建物の壁構造において、施工性を向上すること。【解決手段】建物１Ａの構造躯体の屋外側に断熱性を有する外壁３を設け、この外壁３により構造躯体を屋外に対して覆う建物１Ａの壁構造において、断熱性を有する外壁パネル３０により前記外壁３を構成したもの。【選択図】  図１
2004346627.tif 000002
【特許請求の範囲】
【請求項１】
建物の構造躯体の屋外側に断熱性を有する外壁を設け、この外壁により構造躯体を屋外に対して覆う建物の壁構造において、
断熱性を有する外壁パネルにより前記外壁を構成したことを特徴とする建物の壁構造。
【請求項２】
前記外壁パネルが、枠体の両面に板材を貼付け、両板材の間に断熱材を装填してなる請求項１に記載の建物の壁構造。
【請求項３】
前記外壁パネルが、構造躯体に取着される取付金具を備えてなる請求項１又は２に記載の建物の壁構造。
【請求項４】
前記外壁パネルが、枠体に貼付けた屋外側の板材の外側に外装材を取付け、この板材と外装材の間に通気層を形成する請求項１〜３のいずれかに記載の建物の壁構造。
【請求項５】
前記外壁パネルが取着された構造躯体における、外壁パネルの屋内側に内壁パネルを設けてなる請求項１〜４のいずれかに記載の建物の壁構造。
【請求項６】
前記内壁パネルが断熱材を有する請求項５に記載の建物の壁構造。
【発明の詳細な説明】
【０００１】
【発明の属する技術分野】
本発明は建物の壁構造に関する。
【０００２】
【従来の技術】
建物の壁構造として、特許文献１に記載の如く、建物の構造躯体の屋外側に外断熱材を施工し、柱や梁による冷橋をなくし、内壁材の結露を防止するものがある。
【０００３】
また、特許文献２に記載の如く、建物の構造躯体にパネル化した外壁パネルを取付けて外壁を構成するカーテンウォール方式の壁構造もある。
【０００４】
【特許文献１】
特開２００２−１５５５８８（２頁、図１）
【０００５】
【特許文献２】
特開平１０−７２８８６（１頁、図２）
【０００６】
【発明が解決しようとする課題】
特許文献１の壁構造は、パネル化していない外断熱材を構造躯体に取付けるものであり、施工工数が多大になり、高コストになる。
【０００７】
特許文献２の壁構造は、外壁パネルの断熱材装填部が、構造躯体の枠内に配設されるものであり、断熱材装填部が柱や梁を屋外に対して被覆するものでない。柱や梁による冷橋をなくす外断熱構造を構成するところがない。
【０００８】
本発明の課題は、構造躯体の冷橋をなくす建物の壁構造において、施工性を向上することにある。
【０００９】
【課題を解決するための手段】
請求項１の発明は、建物の構造躯体の屋外側に断熱性を有する外壁を設け、この外壁により構造躯体を屋外に対して覆う建物の壁構造において、断熱性を有する外壁パネルにより前記外壁を構成したものである。
【００１０】
請求項２の発明は、請求項１の発明において更に、前記外壁パネルが、枠体の両面に板材を貼付け、両板材の間に断熱材を装填してなるようにしたものである。
【００１１】
請求項３の発明は、請求項１又は２の発明において更に、前記外壁パネルが、構造躯体に取着される取付金具を備えてなるようにしたものである。
【００１２】
請求項４の発明は、請求項１〜３のいずれかの発明において更に、前記外壁パネルが、枠体に貼付けた屋外側の板材の外側に外装材を取付け、この板材と外装材の間に通気層を形成するようにしたものである。
【００１３】
請求項５の発明は、請求項１〜４のいずれかの発明において更に、前記外壁パネルが取着された構造躯体における、外壁パネルの屋内側に内壁パネルを設けてなるようにしたものである。
【００１４】
請求項６の発明は、請求項５の発明において更に、前記内壁パネルが断熱材を有するようにしたものである。
【００１５】
【作用】
請求項１の発明によれば下記▲１▼の作用がある。
▲１▼構造躯体を屋外に対して覆う外壁を、断熱性を有する外壁パネルにより構成した。従って、構造躯体の冷橋をなくす外壁をパネル化した外壁パネルによりカーテンウォール化でき、施工性を向上できる。
【００１６】
請求項２の発明によれば下記▲２▼の作用がある。
▲２▼外壁パネルが、枠体の両面に板材を貼付け、両板材の間に断熱材を装填して構成される。従って、断熱材の装填固定が確実になり、取扱いが容易で断熱性能がバラツキのないものになる。
【００１７】
請求項３の発明によれば下記▲３▼の作用がある。
▲３▼外壁パネルが取付金具を備えることにより、外壁パネルを構造躯体に簡易に取付けできる。
【００１８】
請求項４の発明によれば下記▲４▼の作用がある。
▲４▼外壁パネルと外装材の間の通気層が、外壁内の湿気を換気して取り除くことができ、断熱性を向上できるし、夏場の外壁の加熱を防止できる。
【００１９】
請求項５の発明によれば下記▲５▼の作用がある。
▲５▼外壁パネルの屋内側に内壁パネルを設けることにより、床材や天井材に対する内壁材の納まり性を向上できる。
【００２０】
請求項６の発明によれば下記▲６▼の作用がある。
▲６▼内壁パネルが断熱性を有することにより、壁全体の断熱性を向上できる。
【００２１】
【発明の実施の形態】
図１は第１実施形態の２階建の建物の壁構造を示す断面図、図２は図１の要部を示し、（Ａ）は外壁パネルの下部取付構造を示す断面図、（Ｂ）は外壁パネルの上部取付構造を示す断面図、図３は外壁パネルの枠組を示し、（Ａ）は端面図、（Ｂ）は正面図、図４は第２実施形態の窓を備えた建物の壁構造を示す断面図、図５は第３実施形態の屋根下の建物の壁構造を示す断面図、図６は第４実施形態の建物壁構造を示す断面図、図７は図６の要部を示し、（Ａ）は外壁パネルの下部取付構造を示す断面図、（Ｂ）は外壁パネルの上部取付構造を示す断面図である。
【００２２】
（第１実施形態）（図１〜図３）
第１実施形態は、２階建のユニット建物１Ａに本発明を適用したものである。
【００２３】
ユニット建物１Ａは、工場生産された複数の建物ユニット１０を水平方向、鉛直方向に並置したものである。図１は、建築現場に設けた基礎２の上に下階の建物ユニット１０（１０Ａ）を据付け、その上に上階の建物ユニット１０（１０Ｂ）を搭載した部分を示す。
【００２４】
建物ユニット１０（１０Ａも１０Ｂも同じ）は、４本の角鋼管等からなる柱１１（不図示）の下端部間にＣ形鋼等の床梁１２を方形に架け渡すとともに、柱１１の上端部間にＣ形鋼等の天井梁１３を方形に架け渡した直方体状の鉄骨等からなる柱梁構造躯体を有する。
【００２５】
建物ユニット１０は、相対する床梁１２に複数本の床小梁１２Ａを架け渡し、床小梁１２Ａの上に床根太１２Ｂを支持し、床根太１２Ｂの上に床材１２Ｃを配設してある。また、建物ユニット１０は、相対する天井梁１３に複数本の天井根太１３Ａを架け渡し、天井根太１３Ａの下に天井材１３Ｂを配設してある。
【００２６】
建物ユニット１０は、柱１１と床梁１２と天井梁１３からなる構造躯体の枠内に内壁パネル２０を嵌め込む如くに設置してある。内壁パネル２０は、枠体２１の屋内に臨む面に石膏ボードからなる内壁材２２を貼付け、枠体２１の内部にグラスウールの内断熱材２３を装填し、枠体２１の下枠２１Ａを床材１２Ｃ、床根太１２Ｂに釘打ち固定し、枠体２１の上枠２１Ｂを天井材１３Ｂ、天井根太１３Ａに釘打ち固定する。内壁パネル２０は、内断熱材２３の屋外側にグラスウールの内断熱材２４を添い設け、この内断熱材２４を柱１１と床梁１２と天井梁１３の枠内で、柱１１と床梁１２と天井梁１３の外面に面一となる範囲に装填する。
【００２７】
ユニット建物１Ａは、建物ユニット１０の柱１１と床梁１２と天井梁１３からなる構造躯体の屋外側に断熱性を有する外壁３を設け、この外壁３により柱１１と床梁１２と天井梁１３を屋外に対して覆う。本実施形態では、外壁３を外壁パネル３０により構成してある。
【００２８】
外壁パネル３０は、枠体３１（下枠３１Ａ、上枠３１Ｂ、縦枠３１Ｃ）（図３）の屋内側に臨む面に石膏ボードからなる板材３２を貼付けるとともに、屋外側に臨む面に合板等からなる板材３３を貼付け、両板材３２、３３の間にグラスウールの外断熱材３４を装填したものである。外壁パネル３０は、枠体３１の下枠３１ＡにＺ字状の取付金具３５を設け、この取付金具３５を床梁１２にボルト止めし（図２（Ａ））、枠体３１の上枠３１ＢにＬ字状の取付金具３６を設け、この取付金具３６を天井梁１３にボルト止めする（図２（Ｂ））。取付金具３５は、Ｚ字の水平板を下枠３１Ａの下面に取付け、Ｚ字の鉛直板を床梁１２の屋外に臨む外面にボルト止めされる。取付金具３６は、Ｌ字の水平板を上枠３１Ｂの上面に取付け、Ｌ字の鉛直板を天井梁１３の屋外に臨む外面にボルト止めされる。これにより、建物ユニット１０に取付けられた外壁パネル３０の屋内側に内壁パネル２０を設けたことになる。
【００２９】
外壁パネル３０は、枠体３１に取付けた屋外側の板材３３の外側に外装材３７を取付け、この板材３３と外装材３７の間に通気層３８を形成する。上下階の建物ユニット１０Ａ、１０Ｂの通気層３８は互いに連続し、下階建物ユニット１０Ａの通気層３８は基礎２の土台モール４の側傍から外界に連通し、上階建物ユニット１０Ｂの通気層３８は屋根裏の通気層に連続する。外装材３７は、外壁パネル３０に予め一体化されてパネルの一部を構成するものでも良いし、外壁パネル３０と別体化されて後付けされるものでも良い。
【００３０】
尚、ユニット建物１Ａにおいて、下階の建物ユニット１０Ａの外壁パネル３０の下枠３１Ａと基礎２の上面との間にはシール材３９Ａが介装される。また、上下階の建物ユニット１０Ａ、１０Ｂの境界部で、下階の外壁パネル３０の上枠３１Ｂと上階の外壁パネル３０の下枠３１Ａの間にはロックウールの断熱材３９Ｂが介装される。外壁パネル３０は、建物ユニット１０の工場生産段階で取付けられても良いし、建物ユニット１０の現場施工段階で取付けられても良い。
【００３１】
第１実施形態によれば以下の作用がある。
▲１▼構造躯体を屋外に対して覆う外壁３を、断熱性を有する外壁パネル３０により構成した。従って、構造躯体の冷橋をなくす外壁３をパネル化した外壁パネル３０によりカーテンウォール化でき、施工性を向上できる。
【００３２】
▲２▼外壁パネル３０が、枠体３１の両面に板材３２、３３を貼付け、両板材３２、３３の間に外断熱材３４を装填して構成される。従って、外断熱材３４の装填固定が確実になり、取扱いが容易で断熱性能がバラツキのないものになる。
【００３３】
▲３▼外壁パネル３０が取付金具３５、３６を備えることにより、外壁パネル３０を構造躯体に簡易に取付けできる。
【００３４】
▲４▼外壁パネル３０と外装材３７の間の通気層３８が、外壁３内の湿気を換気して取り除くことができ、断熱性を向上できるし、夏場の外壁３の加熱を防止できる。
【００３５】
▲５▼外壁パネル３０の屋内側に内壁パネル２０を設けることにより、床材１２Ｃや天井材１３Ｂに対する内壁材２２の納まり性を向上できる。
【００３６】
▲６▼内壁パネル２０が断熱性を有することにより、壁全体の断熱性を向上できる。
【００３７】
（第２実施形態）（図４）
第２実施形態のユニット建物１Ｂが第１実施形態のユニット建物１Ａと異なる点は、建物ユニット１０の外壁３を構成する内壁パネル２０と外壁パネル３０に開口部４０を設け、この開口部４０に窓４１を設けたことにある。
【００３８】
ユニット建物１Ｂにあっては、窓４１を外壁３の屋外側に設けることにより、壁パネル２０、３０に嵌め込んだ窓枠４２の奥行空間を屋内に開放し、屋内スペースを拡張できる。窓４１を外壁３の屋内側に設けるものとすれば、窓枠４２の奥行空間を屋外に開放し、外壁３の厚みを外観に表わし、ユニット建物１Ｂの重厚感を増すことができる。
【００３９】
（第３実施形態）（図５）
第３実施形態のユニット建物１Ｃが第１実施形態のユニット建物１Ａと異なる点は、建物ユニット１０の天井梁１３に垂木５０を支持し、この垂木５０に屋根材５１を配設し、屋根材５１から連続する庇５２を外壁３の上部に取付けたことにある。
【００４０】
また、ユニット建物１０における４本の天井梁１３の枠内にグラスウールの内断熱材５３を装填し、４本の柱１１（不図示）の上端面及び４本の天井梁１３の上面を含む屋根裏の全域に外断熱材５４を装填し、屋根材５１と外断熱材５４の間に通気層５５を形成し、この通気層５５を外壁３の通気層３８に連続させた。
【００４１】
ユニット建物１Ｃにあっては、天井梁１３を含む屋根全体が外断熱材５４により断熱されて冷橋がなくなり、天井材１３Ｂ等の結露を防止できる。また、通気層５５が屋根裏の湿気を換気して取り除くことができ、断熱性を向上できるし、夏場の屋根裏の加熱を防止できる。
【００４２】
（第４実施形態）（図６、図７）
第４実施形態の建物１Ｄは、構造躯体として、建物ユニット１０を用いずに、Ｈ形鋼等の鉄骨からなる柱１１（不図示）、床梁１２、天井梁１３を建築現場で接合した柱梁構造躯体を採用した。建物１Ｄにあっても、ユニット建物１Ａと同様に、床梁１２に床小梁１２Ａ、床根太１２Ｂ、床材１２Ｃを設け、天井梁１３に天井根太１３Ａ、天井材１３Ｂを設け、柱１１と床梁１２と天井梁１３からなる構造躯体の枠内に内壁パネル２０を嵌め込む如くに設置している。
【００４３】
建物１Ｄの外壁３も、ユニット建物１Ａと同様の外壁パネル３０により構成してある。建物１Ｄの外壁パネル３０がユニット建物１Ａの外壁パネル３０と異なる点は、枠体３１の下枠３１ＡにＺ字状の取付金具６１を設け、この取付金具６１をＨ形鋼製床梁１２の上フランジにボルト止めし（図７（Ａ））、枠体３１の上枠３１ＢにＬ字状の取付金具６２を設け、この取付金具６２をＨ形鋼製天井梁１３の下フランジにボルト止めした（図７（Ｂ））ことにある。取付金具６１は、Ｚ字の下水平板を下枠３１Ａの下面に取付け、Ｚ字の上水平板を床梁１２の上フランジにボルト止めされる。取付金具６２は、Ｌ字の鉛直板を上枠３１Ｂの側面に取付け、Ｌ字の水平板を天井梁１３の下フランジにボルト止めされる。
【００４４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明はＲＣ造の建物にも適用できる。
【００４５】
【発明の効果】
本発明によれば、構造躯体の冷橋をなくす建物の壁構造において、施工性を向上することができる。
【図面の簡単な説明】
【図１】図１は第１実施形態の２階建の建物の壁構造を示す断面図である。
【図２】図２は図１の要部を示し、（Ａ）は外壁パネルの下部取付構造を示す断面図、（Ｂ）は外壁パネルの上部取付構造を示す断面図である。
【図３】図３は外壁パネルの枠組を示し、（Ａ）は端面図、（Ｂ）は正面図である。
【図４】図４は第２実施形態の窓を備えた建物の壁構造を示す断面図である。
【図５】図５は第３実施形態の屋根下の建物の壁構造を示す断面図である。
【図６】図６は第４実施形態の建物壁構造を示す断面図である。
【図７】図７は図６の要部を示し、（Ａ）は外壁パネルの下部取付構造を示す断面図、（Ｂ）は外壁パネルの上部取付構造を示す断面図である。
【符号の説明】
１Ａ〜１Ｄ  建物
３  外壁
２０  内壁パネル
２４  内断熱材
３０  外壁パネル
３１  枠体
３２、３３  板材
３４  外断熱材
３５、３６  取付金具
３７  外装材
３８  通気層
【図１】
2004346627.tif 000003
【図２】
2004346627.tif 000004
【図３】
2004346627.tif 000005
【図４】
2004346627.tif 000006
【図５】
2004346627.tif 000007
【図６】
2004346627.tif 000008
【図７】
2004346627.tif 000009